(57)【特許請求の範囲】
【請求項１】
（ａ）車両に対応する装置識別番号毎に走行条件に対する走行記録を記憶可能な走行記録データベースを有するホストコンピュータと通信可能な走行記録通信装置であって、
（ｂ）車両の走行記録を取得する走行記録取得手段と、
（ｃ）前記走行記録取得手段により取得された走行記録を前記ホストコンピュータに送信する送信手段と、
（ｄ）前記ホストコンピュータにおいて前記送信手段から送信された前記走行記録と当該送信手段から当該走行記録が送信されるよりも過去の時点で当該ホストコンピュータの前記走行記録データベースに記憶された同一の特定の地域や道路形状を含む前記走行条件での他の車両の走行記録とを比較した結果を当該ホストコンピュータから前記走行記録に係る評価結果として受信する受信手段と、
（ｅ）前記受信手段により受信された評価結果を出力する出力手段とを備え、
（ｆ）前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いることを特徴とする走行記録通信装置。
【請求項２】
請求項１記載の走行記録通信装置において、
前記受信手段は、前記ホストコンピュータから走行条件を受信し、
前記走行記録取得手段は、前記受信手段により受信された走行条件に基づいて、車両の走行記録を取得することを特徴とする走行記録通信装置。
【請求項３】
請求項２記載の走行記録通信装置において、
前記走行条件を選択するための走行条件選択手段を備えたことを特徴とする走行記録通信装置。
【請求項４】
車両に対応する装置識別番号毎に、走行条件に対する走行記録を記憶可能な走行記録データベースを有するホストコンピュータと通信可能な走行記録通信装置に、
車両の走行記録を走行記録取得手段に取得させる手順と、
前記走行記録取得手段により取得された走行記録を送信手段からホストコンピュータに送信させる手順と、
前記ホストコンピュータにおいて前記送信手段から送信された前記走行記録と当該送信手段から当該走行記録が送信されるよりも過去の時点で当該ホストコンピュータの前記走行記録データベースに記憶された同一の特定の地域や道路形状を含む前記走行条件での他の車両の走行記録とを比較した結果を当該ホストコンピュータから前記走行記録に係る評価結果として受信手段に受信させる手順と、
前記受信手段により受信された評価結果を出力手段から出力させる手順とを実行させ、
前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いることを特徴とするプログラム。
【請求項５】
複数の車両と通信可能なホストコンピュータであって、
各車両毎の走行記録を受信する受信手段と、
前記受信手段により受信された各走行記録を記憶する記憶手段と、
いずれかの車両から評価結果提供要求を前記受信手段が受信したときに、前記評価結果提供要求を送信した車両の走行記録と、走行記録が送信されるよりも過去の時点で前記記憶手段に記憶された同一の特定の地域や道路形状を含む走行条件での他の車両の走行記録とを比較し、評価結果を取得する評価結果取得手段と、
前記評価結果取得手段により取得された評価結果を、前記評価結果提供要求を送信した車両に送信する送信手段とを備え、
前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いることを特徴とするホストコンピュータ。
【請求項６】
複数の車両と通信可能なホストコンピュータに、
各車両毎の走行記録を受信手段に受信させる手順と、
前記受信手段により受信された各走行記録を記憶手段に記憶させる手順と、
いずれかの車両から評価結果提供要求を前記受信手段が受信したときに、評価結果取得手段に、前記評価結果提供要求を送信した車両の走行記録と、走行記録が送信されるよりも過去の時点で前記記憶手段に記憶された同一の特定の地域や道路形状を含む走行条件での他の車両の走行記録とを比較させ、評価結果を取得させる手順と、
前記評価結果取得手段により取得された評価結果を、送信手段から前記評価結果提供要求を送信した車両に送信させる手順とを実行させ、
前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いるためのプログラム。
【発明の詳細な説明】
【０００１】
【発明の属する技術分野】
本発明は、ホストコンピュータと通信可能な走行記録通信装置、前記走行記録通信装置にて実行されるプログラム、複数の車両と通信可能なホストコンピュータならびに前記ホストコンピュータにて実行されるプログラムに関する。
【０００２】
【発明が解決しようとする課題】
従来より、カーナビゲーション装置の一つとして、自動車が停止している状態から４００ｍを走行するのに要する時間や、自動車が停止している状態から１０００ｍを走行するのに要する時間を計測し、それらの走行記録をディスプレイに表示するものが供されている。このものによれば、ユーザは、走行記録を確認することによって、例えば自分が運転した自動車の性能や自分の運転技術などを確認することができる。
【０００３】
ところで、ユーザは、例えば走行記録を知人に報告したり、知人から走行記録が報告されることによって、自分の走行記録を知人の走行記録と比較することができ、自分が運転した自動車の性能や自分の運転技術が知人と比べてどの程度であるのかを知ることができる。しかしながら、この場合、自分が取得した走行記録を報告したり或いは走行記録を自分に報告する知人は、基本的には自分と面識のある人であることから、比較対象となる走行記録が限定されることは否めない。そのため、自分の走行記録を面識の無い不特定多数の人の走行記録と比較したいという要求があっても、それに応じることは困難である。
【０００４】
本発明は、上記した事情に鑑みてなされたものであり、その目的は、ユーザが、自己が取得した走行記録を不特定多数の人の走行記録と比較することができ、それによって、娯楽性を高めることができる走行記録通信装置、ホストコンピュータならびにプログラムを提供することにある。
【０００５】
【課題を解決するための手段】
請求項１に記載した走行記録通信装置によれば、車両の走行記録を走行記録取得手段が取得すると、送信手段は、走行記録取得手段により取得された走行記録をホストコンピュータに送信し、ホストコンピュータにおいて前記送信手段から送信された前記走行記録と当該送信手段から当該走行記録が送信されるよりも過去の時点で当該ホストコンピュータの走行記録データベースに記憶された同一の特定の地域や道路形状を含む走行条件での他の車両の走行記録とを比較した結果を当該ホストコンピュータから前記走行記録に係る評価結果として受信手段が受信すると、出力手段は、受信手段により受信された評価結果を出力するように、また、前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いるように構成したので、ユーザは、出力手段から出力される評価結果を確認することによって、例えば自分が運転した自動車の性能や自分の運転技術が不特定多数の人と比べてどの程度であるのかを知ることができ、これによって、娯楽性を高めることができる。
【０００６】
請求項２に記載した走行記録通信装置によれば、ホストコンピュータから走行条件を受信手段が受信すると、走行記録取得手段は、受信手段により受信された走行条件に基づいて、車両の走行記録を取得するように構成したので、他の自動車と同一の走行条件での評価結果を取得することができる。
【０００７】
請求項３に記載した走行記録通信装置によれば、走行条件を選択するための走行条件選択手段を備えて構成したので、多数の走行条件の中からいずれかの走行条件を選択することができ、娯楽性をより一層高めることができる。
【０００８】
請求項４に記載したプログラムによれば、そのプログラムを走行記録通信装置にインストールさせて実行させると、車両の走行記録を走行記録取得手段に取得させ、走行記録取得手段により取得された走行記録を送信手段からホストコンピュータに送信させ、ホストコンピュータにおいて前記送信手段から送信された前記走行記録と当該送信手段から当該走行記録が送信されるよりも過去の時点で当該ホストコンピュータの走行記録データベースに記憶された同一の特定の地域や道路形状を含む走行条件での他の車両の走行記録とを比較した結果を当該ホストコンピュータから前記走行記録に係る評価結果として受信手段に受信させ、そして、受信手段により受信された評価結果を出力手段から出力させるようになるので、また、前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いるようになるので、上記した請求項１に記載したものと同様の作用効果を得ることができる。すなわち、ユーザは、出力手段から出力される評価結果を確認することによって、例えば自分が運転した自動車の性能や自分の運転技術が不特定多数の人と比べてどの程度であるのかを知ることができ、これによって、娯楽性を高めることができる。
【０００９】
請求項５に記載したホストコンピュータによれば、各車両毎の走行記録を受信手段が受信すると、記憶手段は、受信手段により受信された各走行記録を記憶し、いずれかの車両から評価結果提供要求を受信手段が受信すると、評価結果取得手段は、評価結果提供要求を送信した車両の走行記録と、走行記録が送信されるよりも過去の時点で当該ホストコンピュータに記憶された同一の特定の地域や道路形状を含む走行条件での他の車両の走行記録とを比較して評価結果を取得し、そして、送信手段は、評価結果取得手段により取得された評価結果を、評価結果提供要求を送信した車両に送信するように、また、前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いるように構成したので、評価結果提供要求を送信したユーザに、自動車の性能や運転技術が不特定多数の人と比べてどの程度であるのかを知らせることができる。
【００１０】
請求項６に記載したプログラムによれば、そのプログラムをホストコンピュータにインストールさせて実行させると、各車両毎の走行記録を受信手段に受信させ、受信手段により受信された各走行記録を記憶手段に記憶させ、いずれかの車両から評価結果提供要求を受信手段が受信したときに、評価結果取得手段に、評価結果提供要求を送信した車両の走行記録と、走行記録が送信されるよりも過去の時点で当該ホストコンピュータに記憶された同一の特定の地域や道路形状を含む走行条件での他の車両の走行記録とを比較させて評価結果を取得させ、そして、評価結果取得手段により取得された評価結果を、送信手段から評価結果提供要求を送信した車両に送信させるように、また、前記走行条件は、所定速度以下で、且つ、所定期間内に走行した距離である条件Ｃ５、所定速度以下で、且つ、所定期間内に走行した時間である条件Ｃ６、所定速度以上で、且つ、所定期間内に走行した距離である条件Ｃ７、を前記同一の特定の地域や道路形状とは別に、含むものであって、前記条件Ｃ５乃至条件Ｃ７のうち、いずれか１つの条件を評価項目に用いるようになるので、上記した請求項５に記載したものと同様の作用効果を得ることができる。すなわち、評価結果提供要求を送信したユーザに、自動車の性能や運転技術が不特定多数の人と比べてどの程度であるのかを知らせることができる。
【００１１】
【発明の実施の形態】
以下、本発明の走行記録通信装置を、自動車に搭載されたカーナビゲーション装置に適用した一実施例について、図面を参照して説明する。
まず、図１は、カーナビゲーション装置ならびにホストコンピュータの構成を機能ブロック図として示している。カーナビゲーション装置１は、マイクロコンピュータを主体としてなるＣＰＵ（Central Processing Unit ）２（本発明でいう走行記録取得手段）に、位置検出部３、データ入力部４、操作スイッチ部５  （本発明でいう走行条件選択手段）、携帯電話機インタフェース部６、音声入力部７、音声出力部８、記憶部９、表示制御部１０ならびにリモコンセンサ１１が接続されて構成されている。
【００１２】
位置検出部３は、ＧＰＳ（Global Positioning System ）衛星から送信されたＧＰＳ電波を受信し、その受信したＧＰＳ電波に格納されているパラメータを演算して位置データを取得するＧＰＳ受信機１２、地磁気に基づいて方位を検出し、その検出した方位を表す方位データを取得する地磁気センサ１３、角速度を検出することに基づいて方位を算出し、その算出した方位を示す方位データを取得するジャイロスコープ１４、走行距離を検出し、その検出した距離を示す距離データを取得する距離センサ１５を備えて構成され、各センサが取得した各データを相互補完することによって、自動車の現在位置を検出（特定）する。
【００１３】
データ入力部４は、例えばＣＤ−ＲＯＭ（Compact Disk−Read Only Memory）、ＤＶＤ−ＲＯＭ（Digital Versatile Disk−Read Only Memory）或いはメモリカードなどの外部記録媒体から地図データ、マップマッチング用データ、目印データ或いはＨＴＭＬ（Hyper Text Markup Language）データなどの各種のデータを入力する。操作スイッチ部５は、ディスプレイ１６（本発明でいう出力手段）などに一体的に配設されており、各種のスイッチの操作を検出し、操作検出信号をＣＰＵ２に出力する。
【００１４】
携帯電話機インタフェース部６は、携帯電話機１７（本発明でいう走行記録通信装置の送信手段、受信手段）との間のインタフェース機能を有しており、携帯電話機１７の動作全般を制御する。音声入力部７は、例えばマイクロホンから構成され、ユーザが例えば目的地を設定するためなどに発した音声を入力する。音声出力部８は、例えばスピーカから構成され、案内のための音声や画面操作のための音声などを出力する。記憶部９は、ＣＰＵ２が実行するプログラムを記憶しており、ＣＰＵ２は、記憶部９に記憶されているプログラムを読出して実行することによって、詳しくは後述する処理を行う。そして、表示制御部１０は、ディスプレイ１６における表示制御を行い、リモコンセンサ１１は、操作リモコン１８（本発明でいう走行条件選択手段）における操作を検出し、操作検出信号をＣＰＵ２に出力する。
【００１５】
ホストコンピュータ１９は、マイクロコンピュータを主体としてなるＣＰＵ２０（本発明でいう評価結果取得手段）に、通信部２１（本発明でいうホストコンピュータの受信手段、送信手段）、走行条件データベース２２ならびに走行記録データベース２３（記憶手段）が接続されて構成されている。通信部２１は、上記したカーナビゲーション装置１との間のネットワーク２４を通じた通信を制御する。走行条件データベース２２は、図３に示すように、「停止状態から４００ｍの走行時間」、「停止状態から１０００ｍの走行時間」、「年間走行距離（ｋｍ）」、「年間に走行した北限地−南限地の距離（ｋｍ）」ならびに「年間に時速１０ｋｍ以下で走行した距離（ｋｍ）」などの複数の項目を走行条件として記憶している。
【００１６】
ＣＰＵ２０は、カーナビゲーション装置に対して固有の装置識別番号「０００１」〜「ｎ（ｎは任意の自然数）」を付与することによって、カーナビゲーション装置を識別し、走行記録データベース２３は、図４に示すように、ＣＰＵ２０が装置識別番号を付与したカーナビゲーション装置に対して、走行条件データベース２２に記憶されている走行条件の値を記憶可能に構成されている。すなわち、走行記録データベース２３は、例えばＣＰＵ２０が装置識別番号「０００１」を付与したカーナビゲーション装置に対しては、一例として、「停止状態から４００ｍの走行時間（秒）」として「６．５秒」を記憶しており、「停止状態から１０００ｍの走行時間（秒）」として「１２．０秒」を記憶しており、「年間走行距離（ｋｍ）」として「１２５５１ｋｍ」などを記憶している。
【００１７】
次に、上記した構成の作動について、図２ないし図１０も参照して説明する。
ここで、図５は、カーナビゲーション装置１のＣＰＵ２が行う処理ならびにホストコンピュータ１９のＣＰＵ２０が行う処理をフローチャートとして示している。また、ここでは、ホストコンピュータ１９は、図４に示したように、これよりも以前に６台のカーナビゲーション装置に対して装置識別番号「０００１」〜「０００６」を付与しており、それら各カーナビゲーション装置に対して、走行条件の値を走行記録データベース２３に記憶していると仮定する。
【００１８】
まず、ユーザは、ホストコンピュータ１９から走行条件を取得するための操作を行う。カーナビゲーション装置１において、ＣＰＵ２は、走行条件提供要求を携帯電話機１７からホストコンピュータ１９に送信させるための操作が行われたことを検出すると（ステップＳ１にて「ＹＥＳ」）、走行条件提供要求を携帯電話機１７からホストコンピュータ１９に送信させる（ステップＳ２）。
【００１９】
ホストコンピュータ１９において、ＣＰＵ２０は、カーナビゲーション装置１から走行条件提供要求を受信したことを検出すると（ステップＴ１にて「ＹＥＳ」）、走行条件データベース２２に記憶されている走行条件の一覧を走行条件データベース２２から読出し、その読出した走行条件の一覧を通信部２２からカーナビゲーション装置１に送信させる（ステップＴ２）。
【００２０】
カーナビゲーション装置１において、ＣＰＵ２は、ホストコンピュータ１９から走行条件の一覧を受信したことを検出すると（ステップＳ３にて「ＹＥＳ」、）、図７に示すように、その受信した走行条件の一覧の一部をディスプレイ１６に表示させる（ステップＳ４）。尚、ここで、ユーザは、図７に示す「上スクロール」キー或いは「下スクロール」キーを操作し、走行条件の一覧を上方或いは下方に順次スクロールさせることによって、走行条件の一覧の他の部分をディスプレイ１６に表示させることが可能である。
【００２１】
さて、ユーザは、操作スイッチ部５或いは操作リモコン１８のいずれかを操作し、いずれかの走行条件を選択し、実際に走行する。尚、ここでは、説明の都合上、走行条件として例えば「停止状態から４００ｍの走行時間（秒）」を選択したものと仮定する。ＣＰＵ２は、いずれかの走行条件が選択されたことを検出し（ステップＳ５にて「ＹＥＳ」）、そして、実際に走行されたことを検出すると（ステップＳ６にて「ＹＥＳ」）、その選択された走行条件に応じた走行記録を取得し（ステップＳ７）、その取得した走行記録をディスプレイ１６に表示させる（ステップＳ８）。具体的に説明すると、ＣＰＵ２は、選択された走行条件である「停止状態から４００ｍの走行時間（秒）」に応じた走行記録として例えば「７．５（秒）」を取得すると、図８に示すように、その旨をディスプレイ１６に表示させる。
【００２２】
そして、ＣＰＵ２は、その取得した走行記録を携帯電話機１７からホストコンピュータ１９に送信させるための操作が行われたことを検出すると（ステップＳ９にて「ＹＥＳ」）、走行記録と共に評価結果提供要求を携帯電話機１７からホストコンピュータ１９に送信させる（ステップＳ１０）。
【００２３】
ホストコンピュータ１９において、ＣＰＵ２０は、カーナビゲーション装置１から走行記録と共に評価結果提供要求を受信したことを検出すると（ステップＴ３にて「ＹＥＳ」）、受信した走行記録を走行記録データベース２３に記憶させる（ステップＴ４）。具体的に説明すると、ＣＰＵ２０は、ここでは、図４に示したように、これよりも以前に６台のカーナビゲーション装置に対して装置識別番号「０００１」〜「０００６」を付与しており、それら６台のカーナビゲーション装置に対して、走行条件の値を走行記録データベース２３に記憶させていることから、走行記録を送信したカーナビゲーション装置１に対して次点の装置識別番号「０００７」を付与し、カーナビゲーション装置１から受信した走行記録を、図６に示すように、走行記録データベース２３の装置識別番号「０００７」の領域に記憶させる。
【００２４】
次いで、ＣＰＵ２０は、カーナビゲーション装置１から受信した走行記録を、同一の走行条件での他の走行記録と比較し（ステップＴ５）、評価結果を取得する（ステップＴ６）。具体的に説明すると、ここでは、ＣＰＵ２０は、走行条件が「停止状態から４００ｍの走行時間（秒）」であることから、カーナビゲーション装置１から受信した走行記録である「７．５秒」を、その走行条件での他の走行記録である「６．５秒」、「７．２秒」、「６．０秒」、「６．１秒」、  「７．８秒」ならびに「９．５秒」と比較し、カーナビゲーション装置１から受信した走行記録である「７．５秒」が７件中で５番目の順位であることを認識し、その旨を評価結果として取得する（ステップＴ６）。そして、ＣＰＵ２０は、このようにして取得した評価結果を通信部２２からカーナビゲーション装置１に送信させる（ステップＴ７）。
【００２５】
そして、カーナビゲーション装置１において、ＣＰＵ２は、ホストコンピュータ１９から評価結果を受信したことを検出すると（ステップＳ１１にて「ＹＥＳ」）、その受信した評価結果を解読し、図９に示すように、例えば「あなたは７人中５番目です」という表示メッセージをディスプレイ１６に表示させる（ステップＳ１２）。
【００２６】
このような制御によって、図２に示すように、ユーザが例えば自動車２５を運転しており、カーナビゲーション装置１が自動車２５に搭載されていると仮定すすると、ユーザは、走行記録をホストコンピュータ１９に送信し、ホストコンピュータ１９から評価結果を受信し、そして、ディスプレイ１６に表示される評価結果を確認することによって、自分の走行記録を、例えば自動車２６、２７を運転する不特定多数の人の走行記録と比較することができる。
【００２７】
ところで、以上は、ユーザがホストコンピュータ１９から走行条件の一覧を受信し、ホストコンピュータ１９から受信した走行条件の一覧のうちから所望の走行条件を選択する場合を説明したものであるが、例えばカーナビゲーション装置１にあらかじめ所定の走行条件が設定されており、その設定されている所定の走行条件が他の自動車２６、２７に搭載されているカーナビゲーション装置に設定されている走行条件と同一である場合には、ホストコンピュータ１９からの走行条件の一覧の受信を省略することができる。
【００２８】
また、ユーザが走行条件として「停止状態から４００ｍの走行時間（秒）」のみを選択した場合を説明したものであるが、複数の走行条件を同時に選択することができ、その場合には、ホストコンピュータ１９は、それら選択された複数の走行条件に応じた複数の走行記録を走行記録データベース２３に記憶することになる。また、ユーザが走行条件として例えば「年間走行距離（ｋｍ）」や「年間に走行した北限地−南限地の距離（ｋｍ）」などの年間を計測単位とする走行条件を選択した場合には、カーナビゲーション装置１は、走行記録を年間を通じて継続的に取得することになり、所定の計測期間が経過したのちに、走行記録をホストコンピュータ１９に送信することになる。
【００２９】
また、カーナビゲーション装置１が走行記録と共に例えば自己が搭載されている自動車の車両登録番号をホストコンピュータ１９に送信し、ホストコンピュータ１９が装置識別番号に代わって自動車の車両登録番号を用いてカーナビゲーション装置を識別するように構成すれば、カーナビゲーション装置１は、例えば走行条件である「停止状態から４００ｍの走行時間（秒）」に対する評価結果として、図１０に示すように、上位３傑などを自動車の車両登録番号を用いてディスプレイ１６に表示することができる。さらに、自動車の車両登録番号ではなく、運転者の氏名、ニックネーム、電話番号或いは住所などを用いてカーナビゲーション装置を識別するように構成すれば、上位３傑などを運転者の氏名、ニックネーム、電話番号或いは住所などを用いてディスプレイ１６に表示することができる。
【００３０】
以上に説明したように本実施例によれば、カーナビゲーション装置１は、自動車２５の所定の走行条件での走行記録をホストコンピュータ１９に送信し、ホストコンピュータ１９は、カーナビゲーション装置１から受信した走行記録を他の自動車２６，２７の同一の所定の走行条件での走行記録と比較して評価結果を取得し、その取得した評価結果をカーナビゲーション装置１に送信し、そして、カーナビゲーション装置１は、ホストコンピュータ１９から受信した評価結果をディスプレイ１６に表示するように構成した。
【００３１】
したがって、ユーザは、所定の走行条件での走行記録を取得し、その取得した走行記録をホストコンピュータ１９に送信することによって、ホストコンピュータ１９にて、自分が取得した走行記録を、他の自動車２６，２７の同一の所定の走行条件での走行記録、つまり、不特定多数の人の走行記録と比較することができ、そして、評価結果を確認することによって、例えば自分が運転した自動車２５の性能や自分の運転技術が不特定多数の人と比べてどの程度であるのかを知ることができ、これによって、娯楽性を高めることができる。
【００３２】
また、この場合、カーナビゲーション装置１は、走行条件提供要求をホストコンピュータ１９に送信し、ホストコンピュータ１９は、カーナビゲーション装置１から走行条件提供要求を受信すると、所定の走行条件をカーナビゲーション装置１に送信し、そして、カーナビゲーション装置１は、ホストコンピュータ１９から受信した所定の走行条件での走行記録を取得するように構成した。
【００３３】
したがって、カーナビゲーション装置１に所定の走行条件が設定されていない場合や、所定の走行条件が設定されていても、その設定されている所定の走行条件が他の自動車２６，２７のカーナビゲーション装置に設定されている走行条件と互いに異なる場合であっても、ユーザは、走行条件提供要求をホストコンピュータ１９に送信することによって、他の自動車２６、２７のカーナビゲーション装置に設定されている走行条件と同一の走行条件を受信することができ、そして、これ以降、そのホストコンピュータ１９から受信した走行条件を用いて走行記録を取得することによって、上記したような作用効果を得ることができる。
【００３４】
本発明は、上記した実施例にのみ限定されるものでなく、次のように変形または拡張することができる。
自動車に搭載されたカーナビゲーション装置に適用する構成に限らず、専用の装置を用いる構成であっても良い。また、カーナビゲーション装置において、携帯電話機に代わってモデムなどを用いる構成であっても良い。
【００３５】
走行条件に特定の地域や道路形状（例えばカーブの有無）などを含んでいる場合には、それら特定の地域や道路形状をユーザに報知するために、外部記録媒体から該当する特定の地域や道路形状を含む地図データを読出し、その読出した地図データをディスプレイに表示する構成であっても良い。
【００３６】
評価結果として順位を報知する場合に、上位３傑に限らず、下位３傑や前後などを報知する構成であっても良い。
走行条件、走行記録或いは評価結果を音声で報知する構成であっても良い。
走行条件を記録した外部記録媒体を用意し、外部記録媒体から走行条件を入力する構成であっても良い。
【００３７】
上記した処理を行うプログラムは、最初（例えば製品化の段階）から記憶部に記憶されているものに限らず、例えば特定のサーバからネットワークを通じてカーナビゲーション装置にダウンロードされたり或いはＣＤ−ＲＯＭやカードなどの記憶媒体からカーナビゲーション装置に転送され、インストールされるものであっても良い。
【図面の簡単な説明】
【図１】本発明の一実施例を示す機能ブロック図
【図２】概略図
【図３】走行条件データベースが記憶している内容の一例を示す図
【図４】走行記録データベースが記憶している内容の一例を示す図
【図５】カーナビゲーション装置ならびにホストコンピュータの処理を示すフローチャート
【図６】図４相当図
【図７】表示の一例を示す図
【図８】図７相当図
【図９】図７相当図
【図１０】図７相当図
【符号の説明】
図面中、１はカーナビゲーション装置（走行記録通信装置）、２はＣＰＵ（走行記録取得手段）、５は操作スイッチ部（走行条件選択手段）、１６はディスプレイ（出力手段）、１７は携帯電話機（走行記録通信装置の送信手段、受信手段）、１８は操作リモコン（走行条件選択手段）、１９はホストコンピュータ、２０はＣＰＵ（評価結果取得手段）、２１は通信部（ホストコンピュータの受信手段、送信手段）、２３は走行記録データベース（記憶手段）である。
【図１】
0004557118.tif 000002
【図２】
0004557118.tif 000003
【図３】
0004557118.tif 000004
【図４】
0004557118.tif 000005
【図５】
0004557118.tif 000006
【図６】
0004557118.tif 000007
【図７】
0004557118.tif 000008
【図８】
0004557118.tif 000009
【図９】
0004557118.tif 000010
【図１０】
0004557118.tif 000011